(57)【特許請求の範囲】
【請求項１】
物体側から順に、負の屈折力を有する前群と、正の屈折力を有する後群とを有し、
前記後群は、実質的に、物体側から順に、像側に凹面を向けた正メニスカスレンズ成分Ｌａと、正レンズＬｂと、負レンズと正レンズとの接合負レンズＬｃと、正レンズと負レンズとの接合正レンズＬｄ、さらに、前記正メニスカスレンズ成分Ｌａよりも物体側に配置されており、正の屈折力を有し、無限遠物体から近距離物体への合焦のために物体側から像側へ移動する合焦レンズ群Ｇｆからなり、
前記前群と前記後群との間の空気間隔を変化させることによって変倍を行い、
以下の条件式を満足することを特徴とするズームレンズ。
０．１０＜Ｆｗ／Ｆｂ＜１．００      （１Ａ）
ただし、
Ｆｗ：広角端状態における無限遠物体合焦時の前記ズームレンズ全系の焦点距離
Ｆｂ：前記後群内の前記正レンズＬｂの焦点距離
【請求項２】
以下の条件式を満足することを特徴とする請求項１に記載のズームレンズ。
０．００＜Ｆｗ／（−Ｆｃ）＜１．００
ただし、
Ｆｗ：広角端状態における無限遠物体合焦時の前記ズームレンズ全系の焦点距離
Ｆｃ：前記後群内の前記接合負レンズＬｃの焦点距離
【請求項３】
以下の条件式を満足することを特徴とする請求項１又は請求項２に記載のズームレンズ。
０．０５＜Ｆｗ／Ｆａ＜０．８０
ただし、
Ｆｗ：広角端状態における無限遠物体合焦時の前記ズームレンズ全系の焦点距離
Ｆａ：前記後群内の前記正メニスカスレンズ成分Ｌａの合成焦点距離
【請求項４】
以下の条件式を満足することを特徴とする請求項１から請求項３のいずれか一項に記載のズームレンズ。
０．０００＜Ｆｗ／Ｆｄ＜０．５００
ただし、
Ｆｗ：広角端状態における無限遠物体合焦時の前記ズームレンズ全系の焦点距離
Ｆｄ：前記後群内の前記接合正レンズＬｄの焦点距離
【請求項５】
以下の条件式を満足することを特徴とする請求項１から請求項４のいずれか一項に記載のズームレンズ。
０．０５＜Ｆｗ／Ｆｆ＜１．００
ただし、
Ｆｗ：広角端状態における無限遠物体合焦時の前記ズームレンズ全系の焦点距離
Ｆｆ：前記後群内の前記合焦レンズ群Ｇｆの焦点距離
【請求項６】
前記後群内の前記正メニスカスレンズ成分Ｌａが正レンズと負レンズとの接合レンズからなることを特徴とする請求項１から請求項５のいずれか一項に記載のズームレンズ。
【請求項７】
前記後群内の前記正メニスカスレンズ成分Ｌａが１枚の正レンズからなることを特徴とする請求項１から請求項５のいずれか一項に記載のズームレンズ。
【請求項８】
前記後群内の前記合焦レンズ群Ｇｆが接合レンズを少なくとも有することを特徴とする請求項１から請求項７のいずれか一項に記載のズームレンズ。
【請求項９】
請求項１から請求項８のいずれか一項に記載のズームレンズを備えたことを特徴とする撮像装置。
【請求項１０】
物体側から順に、負の屈折力を有する前群と、正の屈折力を有する後群とを有するズームレンズの製造方法であって、
前記後群が、実質的に、物体側から順に、像側に凹面を向けた正メニスカスレンズ成分Ｌａと、正レンズＬｂと、負レンズと正レンズとの接合負レンズＬｃと、正レンズと負レンズとの接合正レンズＬｄ、さらに、前記正メニスカスレンズ成分Ｌａよりも物体側に配置されており、正の屈折力を有し、無限遠物体から近距離物体への合焦のために物体側から像側へ移動する合焦レンズ群Ｇｆからなり、
前記ズームレンズが以下の条件式を満足するようにし、
前記前群と前記後群との間の空気間隔を変化させることによって変倍を行うようにすることを特徴とするズームレンズの製造方法。
０．１０＜Ｆｗ／Ｆｂ＜１．００      （１Ａ）
ただし、
Ｆｗ：広角端状態における無限遠物体合焦時の前記ズームレンズ全系の焦点距離
Ｆｂ：前記後群内の前記正レンズＬｂの焦点距離
【発明の詳細な説明】
【技術分野】
【０００１】
本発明は、デジタル一眼レフカメラ、フィルムカメラ、ビデオカメラ等の撮影光学系に好適なズームレンズ、撮像装置、ズームレンズの製造方法に関する。
【背景技術】
【０００２】
従来、大画角を有するズームレンズが提案されている（例えば、特許文献１を参照。）。
【先行技術文献】
【特許文献】
【０００３】
【特許文献１】特開２００４−２１２２３号公報
【発明の概要】
【発明が解決しようとする課題】
【０００４】
しかしながら、上述のような従来のレトロフォーカス型のズームレンズにおいて高性能化を図ろうとすれば、後群の構成を複雑にしたり、レンズ枚数を増加する傾向があった。また、当該後群は、一般に所謂変形トリプレット型又はエルノスター型の構成が一般的で、特に大きな負の屈折力を有するレンズを備えることとなるため、偏芯敏感度が高くなりやすく、レンズの組み立て性に欠点を有していた。また、従来のズームレンズで大画角化を実現しようとする場合には、非点収差、像面湾曲、コマ収差、及び球面収差の補正に有利なレンズタイプが求められていた。
そこで本発明は上記問題点に鑑みてなされたものであり、小型で、レンズ枚数が少なく、諸収差を良好に補正し、高い結像性能を有する大画角のズームレンズ、撮像装置、ズームレンズの製造方法を提供することを目的とする。
【課題を解決するための手段】
【０００５】
上記課題を解決するために本発明は、
物体側から順に、負の屈折力を有する前群と、正の屈折力を有する後群とを有し、
前記後群は、実質的に、物体側から順に、像側に凹面を向けた正メニスカスレンズ成分Ｌａと、正レンズＬｂと、負レンズと正レンズとの接合負レンズＬｃと、正レンズと負レンズとの接合正レンズＬｄ、さらに、前記正メニスカスレンズ成分Ｌａよりも物体側に配置されており、正の屈折力を有し、無限遠物体から近距離物体への合焦のために物体側から像側へ移動する合焦レンズ群Ｇｆからなり、
前記前群と前記後群との間の空気間隔を変化させることによって変倍を行い、
以下の条件式を満足することを特徴とするズームレンズを提供する。
０．１０＜Ｆｗ／Ｆｂ＜１．００      （１Ａ）
ただし、
Ｆｗ：広角端状態における無限遠物体合焦時の前記ズームレンズ全系の焦点距離
Ｆｂ：前記後群内の前記正レンズＬｂの焦点距離
【０００６】
また本発明は、
前記ズームレンズを有することを特徴とする撮像装置を提供する。
また本発明は、
物体側から順に、負の屈折力を有する前群と、正の屈折力を有する後群とを有するズームレンズの製造方法であって、
前記後群が、実質的に、物体側から順に、像側に凹面を向けた正メニスカスレンズ成分Ｌａと、正レンズＬｂと、負レンズと正レンズとの接合負レンズＬｃと、正レンズと負レンズとの接合正レンズＬｄ、さらに、前記正メニスカスレンズ成分Ｌａよりも物体側に配置されており、正の屈折力を有し、無限遠物体から近距離物体への合焦のために物体側から像側へ移動する合焦レンズ群Ｇｆからなり、
前記ズームレンズが以下の条件式を満足するようにし、
前記前群と前記後群との間の空気間隔を変化させることによって変倍を行うようにすることを特徴とするズームレンズの製造方法。
０．１０＜Ｆｗ／Ｆｂ＜１．００      （１Ａ）
ただし、
Ｆｗ：広角端状態における無限遠物体合焦時の前記ズームレンズ全系の焦点距離
Ｆｂ：前記後群内の前記正レンズＬｂの焦点距離
【発明の効果】
【０００７】
本発明によれば、小型で、レンズ枚数が少なく、諸収差を良好に補正し、高い結像性能を有する大画角のズームレンズ、撮像装置、ズームレンズの製造方法を提供することができる。
【図面の簡単な説明】
【０００８】
【図１】本願の第１実施例に係るズームレンズの構成を示す断面図である。
【図２】（ａ）、（ｂ）、及び（ｃ）はそれぞれ、本願の第１実施例に係るズームレンズの広角端状態における無限遠物体合焦時の諸収差、中間焦点距離状態における無限遠物体合焦時の諸収差、及び望遠端状態における無限遠物体合焦時の諸収差を示す図である。
【図３】本願の第２実施例に係るズームレンズの構成を示す断面図である。
【図４】（ａ）、（ｂ）、及び（ｃ）はそれぞれ、本願の第２実施例に係るズームレンズの広角端状態における無限遠物体合焦時の諸収差、中間焦点距離状態における無限遠物体合焦時の諸収差、及び望遠端状態における無限遠物体合焦時の諸収差を示す図である。
【図５】本願の第３実施例に係るズームレンズの構成を示す断面図である。
【図６】（ａ）、（ｂ）、及び（ｃ）はそれぞれ、本願の第３実施例に係るズームレンズの広角端状態における無限遠物体合焦時の諸収差、中間焦点距離状態における無限遠物体合焦時の諸収差、及び望遠端状態における無限遠物体合焦時の諸収差を示す図である。
【図７】本願のズームレンズを備えたカメラの構成を示す図である。
【図８】本願のズームレンズの製造方法を示す図である。
【発明を実施するための形態】
【０００９】
以下、本願のズームレンズ、撮像装置、ズームレンズの製造方法について説明する。
本願のズームレンズは、物体側から順に、負の屈折力を有する前群と、正の屈折力を有する後群とを有し、前記後群は、物体側から順に、像側に凹面を向けた正メニスカスレンズ成分Ｌａと、正レンズＬｂと、負レンズと正レンズとの接合負レンズＬｃと、正レンズと負レンズとの接合正レンズＬｄとを有し、さらに、前記正メニスカスレンズ成分Ｌａよりも物体側に配置されており、正の屈折力を有し、無限遠物体から近距離物体への合焦のために物体側から像側へ移動する合焦レンズ群Ｇｆを有し、前記前群と前記後群との間の空気間隔を変化させることによって変倍を行い、以下の条件式（１）を満足することを特徴とする。
（１）  ０．００＜Ｆｗ／Ｆｂ＜１．００
ただし、
Ｆｗ：広角端状態における無限遠物体合焦時の前記ズームレンズ全系の焦点距離
Ｆｂ：前記後群内の前記正レンズＬｂの焦点距離
【００１０】
一般に、大画角を有するレトロフォーカス型のズームレンズにおいて、マスターレンズ群である後群の構成は、主点とバックフォーカスの関係より、物体側から順に、正レンズ、正レンズ、負レンズ、及び正レンズを有するレンズ構成を基本とした変形トリプレット型又はエルノスター型が主流であった。しかしながら、斯かる後群は正レンズで発生した収差を負レンズで打ち消す手法をとるため、偏芯、レンズ厚、及び空気間隔の各々の敏感度が高くなる傾向にあった。このような現象は、特に、口径が比較的大きなズームレンズや、マスターレンズ群である後群の屈折力が大きいズームレンズにおいて顕著であった。
そこで本願のズームレンズは、この点を改善するために、物体側から順に、正レンズ群、正レンズ成分、正レンズ、接合負レンズ、及び接合正レンズを有するレンズ構成を後群の基本とすることで、後群の中央に負レンズを配置しない構成とすることに成功している。これにより、前記敏感度の低減を実現することができ、さらに球面収差、コマ収差、像面湾曲、及び非点収差を良好に補正することが可能となり、小型で良好な光学性能を有する大画角のズームレンズを達成することができる。
【００１１】
次に、本願のズームレンズの特徴を各条件式に基づいて説明する。
上記条件式（１）は、後群内の正レンズＬｂの焦点距離の大きさ、即ち正レンズＬｂの屈折力を規定する条件式である。
本願のズームレンズの条件式（１）の対応値が上限値を上回ると、正レンズＬｂの焦点距離が小さくなる、即ち正レンズＬｂの正の屈折力が大きくなることを意味する。この場合、望遠端状態における球面収差が悪化してしまうため好ましくない。また、特に接合負レンズＬｃと接合正レンズＬｄに収差補正の負担がかかり、結果的には、コマ収差、像面湾曲、及び非点収差も悪化することとなってしまうため好ましくない。
なお、本願の効果をより確実にするために、条件式（１）の上限値を０．９０以下とすることがより好ましい。また、本願の効果をより確実にするために、条件式（１）の上限値を０．８０以下とすることがより好ましく、これによって良好な収差補正を行うことが可能となる。また、本願の効果をより確実にするために、条件式（１）の上限値を０．７０以下とすることがより好ましい。また、本願の効果をより確実にするために、条件式（１）の上限値を０．６０以下とすることがより好ましい。また、本願の効果を最大限に発揮するために、条件式（１）の上限値を０．５０以下とすることがより好ましい。
【００１２】
一方、本願のズームレンズの条件式（１）の対応値が下限値を下回ると、正レンズＬｂの焦点距離が大きくなる、即ち正レンズＬｂの正の屈折力が著しく小さくなる、又は正レンズＬｂが負の屈折力を有するようになることを意味する。この場合、望遠端状態における球面収差が悪化することとなるため好ましくない。
なお、本願の効果をより確実にするために、条件式（１）の下限値を０．０１以上とすることがより好ましい。また、本願の効果をより確実にするために、条件式（１）の下限値を０．０５以上とすることがより好ましく、これによって諸収差をより良好に補正することができる。また、本願の効果をより確実にするために、条件式（１）の下限値を０．１０以上とすることがより好ましい。また、本願の効果を最大限に発揮するために、条件式（１）の下限値を０．２０以上とすることがより好ましい。
【００１３】
また、本願のズームレンズは、以下の条件式（２）を満足することが望ましい。
（２）  ０．００＜Ｆｗ／（−Ｆｃ）＜１．００
ただし、
Ｆｗ：広角端状態における無限遠物体合焦時の前記ズームレンズ全系の焦点距離
Ｆｃ：前記後群内の前記接合負レンズＬｃの焦点距離
【００１４】
条件式（２）は、後群内の接合負レンズＬｃの焦点距離の大きさ、即ち接合負レンズＬｃの屈折力を規定する条件式である。
本願のズームレンズの条件式（２）の対応値が上限値を上回ると、接合負レンズＬｃの焦点距離の絶対値が小さくなる、即ち接合負レンズＬｃの負の屈折力が大きくなることを意味する。この場合、球面収差、及び変倍によるコマ収差の変動が増加してしまうため好ましくない。また、像面湾曲と非点収差も悪化してしまうため好ましくない。
なお、本願の効果をより確実にするために、条件式（２）の上限値を０．７０以下とすることがより好ましい。また、本願の効果をより確実にするために、条件式（２）の上限値を０．６０以下とすることがより好ましい。また、本願の効果をより確実にするために、条件式（２）の上限値を０．５０以下とすることがより好ましい。また、本願の効果をより確実にするために、条件式（２）の上限値を０．４０以下とすることがより好ましい。また、本願の効果を最大限に発揮するために、条件式（２）の上限値を０．３０以下とすることがより好ましい。
【００１５】
一方、本願のズームレンズの条件式（２）の対応値が下限値を下回ると、接合負レンズＬｃの焦点距離の絶対値が大きくなる、即ち接合負レンズＬｃの屈折力が著しく小さくなる、又は接合負レンズＬｃが正の屈折力を有するようになることを意味する。この場合、接合正レンズＬｄの収差補正の負担が増加してしまう。そして結果的に、球面収差、像面湾曲、コマ収差の画角による変位、及び変倍によるコマ収差の変動が増加してしまうため好ましくない。
なお、本願の効果をより確実にするために、条件式（２）の下限値を０．０１以上とすることがより好ましい。また、本願の効果をより確実にするために、条件式（２）の下限値を０．０２以上とすることがより好ましく、これによって諸収差をより良好に補正することができる。また、本願の効果をより確実にするために、条件式（２）の下限値を０．０５以上とすることがより好ましい。また、本願の効果を最大限に発揮するために、条件式（２）の下限値を０．１０以上とすることがより好ましい。
【００１６】
また、本願のズームレンズは、以下の条件式（３）を満足することが望ましい。
（３）  ０．０５＜Ｆｗ／Ｆａ＜０．８０
ただし、
Ｆｗ：広角端状態における無限遠物体合焦時の前記ズームレンズ全系の焦点距離
Ｆａ：前記後群内の前記正メニスカスレンズ成分Ｌａの合成焦点距離
【００１７】
条件式（３）は、後群内の正メニスカスレンズ成分Ｌａの合成焦点距離の大きさ、即ち正メニスカスレンズ成分Ｌａの屈折力を規定する条件式である。
本願のズームレンズの条件式（３）の対応値が上限値を上回ると、正メニスカスレンズ成分Ｌａの合成焦点距離が小さくなる、即ち正メニスカスレンズ成分Ｌａの正の屈折力が大きくなることを意味する。この場合、望遠端状態における球面色収差や軸上色収差等が悪化してしまうため好ましくない。
なお、本願の効果をより確実にするために、条件式（３）の上限値を０．７０以下とすることがより好ましい。また、本願の効果をより確実にするために、条件式（３）の上限値を０．６０以下とすることがより好ましく、これによって諸収差の補正が有利になる。また、本願の効果をより確実にするために、条件式（３）の上限値を０．５０以下とすることがより好ましい。また、本願の効果を最大限に発揮するために、条件式（３）の上限値を０．３０以下とすることがより好ましい。
【００１８】
一方、本願のズームレンズの条件式（３）の対応値が下限値を下回ると、正メニスカスレンズ成分Ｌａの合成焦点距離が大きくなる、即ち正メニスカスレンズ成分Ｌａの正の屈折力が小さくなることを意味する。この場合、収差補正上、接合負レンズＬｃや接合正レンズＬｄが大きな負担を強いられることになる。そして結果的に、球面色収差、変倍によるコマ収差の変動、及び変倍による像面湾曲の変動が悪化してしまうため好ましくない。
なお、本願の効果をより確実にするために、条件式（３）の下限値を０．０６以上とすることがより好ましい。また、本願の効果をより確実にするために、条件式（３）の下限値を０．０８以上とすることがより好ましく、これによって諸収差をより良好に補正することができる。また、本願の効果をより確実にするために、条件式（３）の下限値を０．１０以上とすることがより好ましい。また、本願の効果を最大限に発揮するために、条件式（３）の下限値を０．１１以上とすることがより好ましい。
【００１９】
また、本願のズームレンズは、以下の条件式（４）を満足することが望ましい。
（４）  ０．０００＜Ｆｗ／Ｆｄ＜０．５００
ただし、
Ｆｗ：広角端状態における無限遠物体合焦時の前記ズームレンズ全系の焦点距離
Ｆｄ：前記後群内の前記接合正レンズＬｄの焦点距離
【００２０】
条件式（４）は、後群内の接合正レンズＬｄの焦点距離の大きさ、即ち接合正レンズＬｄの屈折力を規定する条件式である。
本願のズームレンズの条件式（４）の対応値が上限値を上回ると、接合正レンズＬｄの焦点距離が小さくなる、即ち接合正レンズＬｄの屈折力が大きくなることを意味する。この場合、コマ収差が悪化し、また、変倍によるコマ収差の変動、及び変倍による像面湾曲の変動が増加してしまうため好ましくない。
なお、本願の効果をより確実にするために、条件式（４）の上限値を０．４０以下とすることがより好ましい。また、本願の効果をより確実にするために、条件式（４）の上限値を０．３０以下とすることがより好ましく、これによって諸収差の補正が有利になる。また、本願の効果をより確実にするために、条件式（４）の上限値を０．２０以下とすることがより好ましい。また、本願の効果をより確実にするために、条件式（４）の上限値を０．１５以下とすることがより好ましい。また、本願の効果を最大限に発揮するために、条件式（４）の上限値を０．１０以下とすることがより好ましい。
【００２１】
一方、本願のズームレンズの条件式（４）の対応値が下限値を下回ると、接合正レンズＬｄの焦点距離が大きくなる、即ち接合正レンズＬｄの屈折力が著しく小さくなることを意味する。この場合、接合正レンズＬｄの収差補正能力が極端に低下し、接合負レンズＬｃの収差補正の負担が増加してしまう。そして結果的に、コマ収差の画角による変位、変倍によるコマ収差の変動、及び像面湾曲の変化が増加してしまうため好ましくない。
なお、本願の効果をより確実にするために、条件式（４）の下限値を０．００５以上とすることがより好ましい。また、本願の効果をより確実にするために、条件式（４）の下限値を０．０１０以上とすることがより好ましく、これによってコマ収差等の諸収差をより良好に補正することができる。また、本願の効果をより確実にするために、条件式（４）の下限値を０．０２０以上とすることがより好ましい。また、本願の効果を最大限に発揮するために、条件式（４）の下限値を０．０３０以上とすることがより好ましい。
【００２２】
また、本願のズームレンズは、以下の条件式（５）を満足することが望ましい。
（５）  ０．０５＜Ｆｗ／Ｆｆ＜１．００
ただし、
Ｆｗ：広角端状態における無限遠物体合焦時の前記ズームレンズ全系の焦点距離
Ｆｆ：前記後群内の前記合焦レンズ群Ｇｆの焦点距離
【００２３】
条件式（５）は、後群内の合焦レンズ群Ｇｆの焦点距離の大きさ、即ち合焦レンズ群Ｇｆの屈折力を規定する条件式である。
本願のズームレンズの条件式（５）の対応値が上限値を上回ると、合焦レンズ群Ｇｆの焦点距離が小さくなる、即ち合焦レンズ群Ｇｆの正の屈折力が大きくなることを意味する。この場合、球面色収差、軸上色収差、及び望遠端状態におけるコマ収差が悪化してしまうため好ましくない。
なお、本願の効果をより確実にするために、条件式（５）の上限値を０．８０以下とすることがより好ましい。また、本願の効果をより確実にするために、条件式（５）の上限値を０．７０以下とすることがより好ましい。また、本願の効果をより確実にするために、条件式（５）の上限値を０．５０以下とすることがより好ましく、これによって諸収差の補正が有利になる。また、本願の効果をより確実にするために、条件式（５）の上限値を０．４０以下とすることがより好ましい。また、本願の効果を最大限に発揮するために、条件式（５）の上限値を０．３０以下とすることがより好ましい。
【００２４】
一方、本願のズームレンズの条件式（５）の対応値が下限値を下回ると、合焦レンズ群Ｇｆの焦点距離が大きくなる、即ち合焦レンズ群Ｇｆの正の屈折力が著しく小さくなることを意味する。この場合、合焦レンズ群Ｇｆが合焦レンズ群としての役割を果たせなくなり、合焦レンズ群Ｇｆの合焦のための移動量が増大し、本願のズームレンズ全体が大型化してしまうため好ましくない。また結果的に、球面色収差、軸上色収差、及び望遠端状態におけるコマ収差が悪化してしまうため好ましくない。
なお、本願の効果をより確実にするために、条件式（５）の下限値を０．１０以上とすることがより好ましい。また、本願の効果をより確実にするために、条件式（５）の下限値を０．１２以上とすることがより好ましく、これによって諸収差をより良好に補正することができる。また、本願の効果をより確実にするために、条件式（５）の下限値を０．１５以上とすることがより好ましい。また、本願の効果を最大限に発揮するために、条件式（５）の下限値を０．２０以上とすることがより好ましい。
【００２５】
また、本願のズームレンズは、前記後群内の前記正メニスカスレンズ成分Ｌａが正レンズと負レンズとの接合レンズからなることが望ましい。この構成により、ペッツバール和を適切に設定することができ、色収差を良好に補正することができる。
また、本願のズームレンズは、前記後群内の前記正メニスカスレンズ成分Ｌａが１枚の正レンズからなることが望ましい。この構成により、本願のズームレンズのレンズ枚数を少なくすることができるため、小型化、軽量化、及び低価格化を図ることができる。また、本願のズームレンズの製造時に、光学性能の誤差の発生を少なくすることもできる。
また、本願のズームレンズは、前記後群内の前記合焦レンズ群Ｇｆが接合レンズを少なくとも有することが望ましい。この構成により、特に望遠端状態におけるコマ収差と球面収差を良好に補正することができる。
また、本願の撮像装置は、上述した構成のズームレンズを備えたことを特徴とする。これにより、小型で、レンズ枚数が少なく、諸収差を良好に補正し、高い結像性能を有する大画角の撮像装置を実現することができる。
【００２６】
また、本願のズームレンズの製造方法は、物体側から順に、負の屈折力を有する前群と、正の屈折力を有する後群とを有するズームレンズの製造方法であって、前記後群が、物体側から順に、像側に凹面を向けた正メニスカスレンズ成分Ｌａと、正レンズＬｂと、負レンズと正レンズとの接合負レンズＬｃと、正レンズと負レンズとの接合正レンズＬｄとを有し、さらに、前記正メニスカスレンズ成分Ｌａよりも物体側に配置されており、正の屈折力を有し、無限遠物体から近距離物体への合焦のために物体側から像側へ移動する合焦レンズ群Ｇｆを有するようにし、前記ズームレンズが以下の条件式（１）を満足するようにし、前記前群と前記後群との間の空気間隔を変化させることによって変倍を行うようにすることを特徴とする。
（１）  ０．００＜Ｆｗ／Ｆｂ＜１．００
ただし、
Ｆｗ：広角端状態における無限遠物体合焦時の前記ズームレンズ全系の焦点距離
Ｆｂ：前記後群内の前記正レンズＬｂの焦点距離
斯かる本願のズームレンズの製造方法により、小型で、レンズ枚数が少なく、諸収差を良好に補正し、高い結像性能を有する大画角のズームレンズを製造することができる。
【００２７】
以下、本願の数値実施例に係るズームレンズを添付図面に基づいて説明する。
（第１実施例）
図１は、本願の第１実施例に係るズームレンズの構成を示す断面図である。
本実施例に係るズームレンズは、物体側から順に、負の屈折力を有する前群Ｇｎと、正の屈折力を有する後群Ｇｐとから構成されている。
前群Ｇｎは、物体側から順に、像側に凹面を向けた両側非球面負メニスカスレンズＬ１１と、両凹形状の負レンズＬ１２と両凸形状の正レンズＬ１３との接合負レンズと、物体側に凸面を向けた正メニスカスレンズＬ１４とからなる。
【００２８】
後群Ｇｐは、物体側から順に、正の屈折力を有する合焦レンズ群Ｇｆと、開口絞りＳと、正の屈折力を有する正レンズ群Ｇｒとからなる。
合焦レンズ群Ｇｆは、無限遠物体から近距離物体への合焦のために物体側から像側へ移動するレンズ群であって、物体側から順に、物体側に凸面を向けた負メニスカスレンズＬ２１と両凸形状の正レンズＬ２２との接合正レンズのみからなる。
正レンズ群Ｇｒは、物体側から順に、物体側に凸面を向けた正メニスカスレンズと物体側に凸面を向けた負メニスカスレンズとの接合正レンズＬａと、両凸形状の正レンズＬｂと、両凹形状の負レンズと両凸形状の正レンズとの接合負レンズＬｃと、像側に凸面を向けた正メニスカスレンズと像側に凸面を向けた負メニスカスレンズとの接合正レンズＬｄとからなる。
また、本実施例に係るズームレンズでは、前群Ｇｎと後群Ｇｐとの間の空気間隔を変化させることによって、広角端状態から望遠端状態への変倍を行う。なお、図１中の矢印は、広角端状態から望遠端状態への変倍時の前群Ｇｎ及び後群Ｇｐの移動軌跡を示している。
【００２９】
以下の表１に、本実施例に係るズームレンズの諸元値を掲げる。
表１において、Ｆは焦点距離、ＢＦはバックフォーカスを示す。
[面データ]において、面番号は物体側から数えたレンズ面の順番、ｒはレンズ面の曲率半径、ｄはレンズ面の間隔、ｎｄはｄ線（波長λ＝５８７．６ｎｍ）に対する屈折率、νｄはｄ線（波長λ＝５８７．６ｎｍ）に対するアッベ数をそれぞれ示している。また、物面は物体面、可変は可変の面間隔、(絞りＳ)は開口絞りＳ、像面は像面Ｉをそれぞれ示している。なお、曲率半径ｒ＝∞は平面を示している。また、面番号の左側に付された米印「＊」は非球面を示している。
［非球面データ］には、［面データ］に示した非球面について、その形状を次式で表した場合の円錐係数と非球面係数を示す。
Ｘ（ｙ）＝（ｙ２／ｒ）／[１＋｛１−κ（ｙ２／ｒ２）｝１／２]
＋A4×ｙ４＋A6×ｙ６＋A8×ｙ８＋A10×ｙ１０＋A12×ｙ１２
ここで、光軸に垂直な方向の高さをｙ、高さｙにおける光軸方向の変位量をＸ（ｙ）、基準球面の曲率半径（近軸曲率半径）をｒ、円錐係数をκ、ｎ次の非球面係数をAnとする。なお、「E-n」は「×10-n」を示し、例えば「1.234E-05」は「1.234×10−５」を示す。
【００３０】
［各種データ］において、ＦＮＯはＦナンバー、ωは半画角（単位：度）、Ｙは像高、ＴＬは光学系全長、Σｄは最も物体側のレンズ面（第１面）から最も像側のレンズ面までの距離、βは撮影倍率、ｄ0は物体面から第１面までの距離、ｄi（i：整数）は第ｉ面の可変の面間隔をそれぞれ示す。なお、1-POSは広角端状態における無限遠物体合焦時、2-POSは中間焦点距離状態における無限遠物体合焦時、3-POSは望遠端状態における無限遠物体合焦時、4-POSは広角端状態における有限距離物体合焦時、5-POSは中間焦点距離状態における有限距離物体合焦時、6-POSは望遠端状態における有限距離物体合焦時、7-POSは広角端状態における最短撮影距離物体合焦時、8-POSは中間焦点距離状態における最短撮影距離物体合焦時、9-POSは望遠端状態における最短撮影距離物体合焦時をそれぞれ示す。
ここで、表１に掲載されている焦点距離Ｆ、曲率半径ｒ、及びその他長さの単位は一般に「ｍｍ」が使われる。しかしながら光学系は、比例拡大又は比例縮小しても同等の光学性能が得られるため、これに限られるものではない。
なお、以上に述べた表１の符号は、後述する各実施例の表においても同様に用いるものとする。
【００３１】
（表１）第１実施例
[面データ]
面番号            ｒ        ｄ      ｎｄ      νｄ
物面             ∞
＊1)           30.2329   2.0000   1.816000   46.63
＊2)           10.4892  15.0000   1.000000
3)          -42.5621   1.5000   1.816000   46.63
4)           37.2333   5.0000   1.688930   31.06
5)          -64.4572   0.1000   1.000000
6)           38.5810   2.8000   1.672700   32.11
7)          106.0516    可変    1.000000
8)           28.1138   1.0000   1.772500   49.61
9)           15.9812   3.0000   1.487490   70.45
10)          -73.1022    可変    1.000000
11) (絞りＳ)    ∞      0.7000   1.000000
12)           14.0547   2.5000   1.516800   64.12
13)          100.0000   0.8000   1.517420   52.32
14)           16.6009   1.5000   1.000000
15)           50.8775   5.0000   1.518230   58.89
16)          -41.2126   1.5000   1.000000
17)          -19.8605   1.0000   1.755000   52.29
18)           21.3857   6.0000   1.516800   64.12
19)          -15.6515   0.1000   1.000000
20)         -111.5170   5.5000   1.497820   82.56
21)          -11.4457   1.0000   1.834810   42.72
22)          -23.2681    ＢＦ    1.000000
像面             ∞
［非球面データ］
第１面
κ  ＝  -2.1107
A4  ＝   1.07754E-06
A6  ＝   3.75728E-09
A8  ＝   3.70102E-12
A10 ＝  -8.68356E-15
A12 ＝   0.00000
第２面
κ  ＝   0.1153
A4  ＝   2.12135E-05
A6  ＝   5.88073E-08
A8  ＝  -3.66898E-10
A10 ＝   2.96024E-12
A12 ＝  -0.17216E-14
［各種データ］
ズーム比     1.77
1-POS      2-POS      3-POS
Ｆ           16.48  〜  24.00  〜  29.10
ＦＮＯ        4.54  〜   5.32  〜   5.88
ω           53.23  〜  41.68  〜  36.30°
Ｙ           21.60  〜  21.60  〜  21.60
ＴＬ        132.12  〜 119.13  〜 120.94
Σｄ         84.84  〜  69.49  〜  63.60
ＢＦ         38.28  〜  49.64  〜  57.34
1-POS      2-POS      3-POS      4-POS      5-POS      6-POS
Ｆ＆β      16.48000   24.00000   29.10000   -0.03333   -0.03333   -0.03333
ｄ0           ∞         ∞         ∞      470.0125   697.8557   851.7435
ｄ7         22.83565    7.49367    1.60119   23.95087    8.24040    2.23273
ｄ10         6.00001    6.00001    6.00001    4.88480    5.25328    5.36847
ＢＦ        38.28083   49.63614   57.33722   38.28083   49.63614   57.33722
7-POS      8-POS      9-POS
β          -0.10894   -0.15684   -0.19357
ｄ0        126.8835   130.8702   129.0616
ｄ7         26.50661   10.99390    5.23534
ｄ10         2.32905    2.49978    2.36586
ＢＦ        38.28083   49.63614   57.33722
［レンズ群データ］
群     始面           Ｆ
Ｇｎ      1         -23.11668
Ｇｆ      8          61.15566
Ｇｒ     12          55.05557
［条件式対応値］
（１）  Ｆｗ／Ｆｂ ＝ 0.3681
（２）  Ｆｗ／（−Ｆｃ） ＝ 0.1518
（３）  Ｆｗ／Ｆａ ＝ 0.1335
（４）  Ｆｗ／Ｆｄ ＝ 0.04531
（５）  Ｆｗ／Ｆｆ ＝ 0.2695
【００３２】
図２（ａ）、図２（ｂ）、及び図２（ｃ）はそれぞれ、本願の第１実施例に係るズームレンズの広角端状態における無限遠物体合焦時の諸収差、中間焦点距離状態における無限遠物体合焦時の諸収差、及び望遠端状態における無限遠物体合焦時の諸収差を示す図である。
各収差図において、ＦＮＯはＦナンバー、Ｙは像高、ｄはｄ線（λ＝５８７．６ｎｍ）、ｇはｇ線（λ＝４３５．８ｎｍ）をそれぞれ示す。なお、球面収差図では最大口径に対応するＦナンバーの値を示し、非点収差図及び歪曲収差図では像高の最大値をそれぞれ示している。また、非点収差図において実線はサジタル像面、点線はメリジオナル像面を示し、コマ収差図における実線はメリジオナルコマ収差を示す。なお、以下に示す各実施例の収差図においても、本実施例と同様の符号を用いる。
各諸収差図より、本実施例に係るズームレンズは、球面収差、像面湾曲、非点収差、及びコマ収差を含む諸収差が良好に補正されていることがわかる。
【００３３】
（第２実施例）
図３は、本願の第２実施例に係るズームレンズの構成を示す断面図である。
本実施例に係るズームレンズは、物体側から順に、負の屈折力を有する前群Ｇｎと、正の屈折力を有する後群Ｇｐとから構成されている。
前群Ｇｎは、物体側から順に、像側に凹面を向けた両側非球面負メニスカスレンズＬ１１と、両凹形状の負レンズＬ１２と両凸形状の正レンズＬ１３との接合負レンズと、物体側に凸面を向けた正メニスカスレンズＬ１４とからなる。
【００３４】
後群Ｇｐは、物体側から順に、正の屈折力を有する合焦レンズ群Ｇｆと、開口絞りＳと、正の屈折力を有する正レンズ群Ｇｒとからなる。
合焦レンズ群Ｇｆは、無限遠物体から近距離物体への合焦のために物体側から像側へ移動するレンズ群であって、物体側から順に、物体側に凸面を向けた負メニスカスレンズＬ２１と両凸形状の正レンズＬ２２との接合正レンズのみからなる。
正レンズ群Ｇｒは、物体側から順に、物体側に凸面を向けた正メニスカスレンズＬａと、両凸形状の正レンズＬｂと、両凹形状の負レンズと両凸形状の正レンズとの接合負レンズＬｃと、像側に凸面を向けた正メニスカスレンズと像側に凸面を向けた負メニスカスレンズとの接合正レンズＬｄとからなる。
また、本実施例に係るズームレンズでは、前群Ｇｎと後群Ｇｐとの間の空気間隔を変化させることによって、広角端状態から望遠端状態への変倍を行う。なお、図３中の矢印は、広角端状態から望遠端状態への変倍時の前群Ｇｎ及び後群Ｇｐの移動軌跡を示している。
以下の表２に、本実施例に係るズームレンズの諸元値を掲げる。
【００３５】
（表２）第２実施例
[面データ]
面番号            ｒ        ｄ      ｎｄ      νｄ
物面             ∞
＊1)           32.6259   2.0000   1.744429   49.52
＊2)           10.2183  14.5000   1.000000
3)          -38.5331   1.5000   1.816000   46.63
4)           54.6487   5.0000   1.688930   31.06
5)          -62.6107   0.1000   1.000000
6)           40.5564   2.8000   1.672700   32.11
7)          126.7400    可変    1.000000
8)           28.8066   1.0000   1.772500   49.61
9)           16.1521   3.0000   1.487490   70.45
10)          -66.1789    可変    1.000000
11) (絞りＳ)    ∞      0.7000   1.000000
12)           13.2154   3.0000   1.487490   70.45
13)           15.7805   1.5000   1.000000
14)           45.1283   5.0000   1.487490   70.45
15)          -29.9147   1.5000   1.000000
16)          -17.7734   1.0000   1.755000   52.29
17)           19.3882   6.0000   1.516800   64.12
18)          -15.5114   0.1000   1.000000
19)          -67.3602   5.5000   1.497820   82.56
20)          -11.2386   1.0000   1.834810   42.72
21)          -21.1249    ＢＦ    1.000000
像面             ∞
［非球面データ］
第１面
κ  ＝  -1.2907
A4  ＝  -1.74965E-07
A6  ＝   5.05405E-09
A8  ＝   4.84603E-12
A10 ＝  -1.19629E-14
A12 ＝   0.00000
第２面
κ  ＝   0.1334
A4  ＝   2.67889E-05
A6  ＝   8.12946E-08
A8  ＝  -2.05052E-10
A10 ＝   1.92258E-12
A12 ＝   0.54492E-14
［各種データ］
ズーム比     1.77
1-POS      2-POS      3-POS
Ｆ           16.48  〜  24.00  〜  29.10
ＦＮＯ        4.51  〜   5.28  〜   5.84
ω           53.27  〜  41.65  〜  36.27°
Ｙ           21.60  〜  21.60  〜  21.60
ＴＬ        122.32  〜 118.32  〜 120.11
Σｄ         84.04  〜  68.69  〜  62.79
ＢＦ         38.28  〜  49.63  〜  57.32
1-POS      2-POS      3-POS      4-POS      5-POS      6-POS
Ｆ＆β      16.48000   24.00000   29.10000   -0.03333   -0.03333   -0.03333
ｄ0           ∞         ∞         ∞      469.9133   697.8252   851.7261
ｄ7         22.83630    7.48913    1.59465   23.95726    8.23622    2.22593
ｄ10         6.00001    6.00001    6.00001    4.87905    5.25292    5.36873
ＢＦ        38.28415   49.62644   57.31868   38.28415   49.62644   57.31868
7-POS      8-POS      9-POS
β          -0.10829   -0.15598   -0.19249
ｄ0        127.6795   131.6844   129.8867
ｄ7         26.50628   10.97269    5.20792
ｄ10         2.33003    2.51645    2.38675
ＢＦ        38.28415   49.62644   57.31868
［レンズ群データ］
群     始面           Ｆ
Ｇｎ      1         -23.13386
Ｇｆ      8          60.41221
Ｇｒ     12          54.99320
［条件式対応値］
（１）  Ｆｗ／Ｆｂ ＝ 0.4368
（２）  Ｆｗ／（−Ｆｃ） ＝ 0.2255
（３）  Ｆｗ／Ｆａ ＝ 0.1367
（４）  Ｆｗ／Ｆｄ ＝ 0.05312
（５）  Ｆｗ／Ｆｆ ＝ 0.2728
【００３６】
図４（ａ）、図４（ｂ）、及び図４（ｃ）はそれぞれ、本願の第２実施例に係るズームレンズの広角端状態における無限遠物体合焦時の諸収差、中間焦点距離状態における無限遠物体合焦時の諸収差、及び望遠端状態における無限遠物体合焦時の諸収差を示す図である。
各諸収差図より、本実施例に係るズームレンズは、球面収差、像面湾曲、非点収差、及びコマ収差を含む諸収差が良好に補正されていることがわかる。
【００３７】
（第３実施例）
図５は、本願の第３実施例に係るズームレンズの構成を示す断面図である。
本実施例に係るズームレンズは、物体側から順に、負の屈折力を有する前群Ｇｎと、正の屈折力を有する後群Ｇｐと、固定群Ｇｓとから構成されている。
前群Ｇｎは、物体側から順に、像側に凹面を向けた両側非球面負メニスカスレンズＬ１１と、両凹形状の負レンズＬ１２と両凸形状の正レンズＬ１３との接合負レンズと、物体側に凸面を向けた正メニスカスレンズＬ１４とからなる。
【００３８】
後群Ｇｐは、物体側から順に、正の屈折力を有する合焦レンズ群Ｇｆと、開口絞りＳと、正の屈折力を有する正レンズ群Ｇｒとからなる。
合焦レンズ群Ｇｆは、無限遠物体から近距離物体への合焦のために物体側から像側へ移動するレンズ群であって、物体側から順に、物体側に凸面を向けた負メニスカスレンズＬ２１と両凸形状の正レンズＬ２２との接合正レンズのみからなる。
正レンズ群Ｇｒは、物体側から順に、物体側に凸面を向けた正メニスカスレンズと物体側に凸面を向けた負メニスカスレンズとの接合正レンズＬａと、両凸形状の正レンズＬｂと、両凹形状の負レンズと両凸形状の正レンズとの接合負レンズＬｃと、像側に凸面を向けた正メニスカスレンズと像側に凸面を向けた負メニスカスレンズとの接合正レンズＬｄとからなる。
固定群Ｇｓは、像側に凸面を向けた負メニスカスレンズＬ３１のみからなる。
また、本実施例に係るズームレンズでは、前群Ｇｎと後群Ｇｐとの間の空気間隔を変化させることによって、広角端状態から望遠端状態への変倍を行う。なお、固定群Ｇｓの位置は、変倍に際して固定である。また、図５中の矢印は、広角端状態から望遠端状態への変倍時の前群Ｇｎ及び後群Ｇｐの移動軌跡を示している。
以下の表３に、本実施例に係るズームレンズの諸元値を掲げる。
【００３９】
（表３）第３実施例
[面データ]
面番号            ｒ        ｄ      ｎｄ      νｄ
物面             ∞
＊1)           30.2329   2.0000   1.816000   46.63
＊2)           10.4892  15.0000   1.000000
3)          -42.5621   1.5000   1.816000   46.63
4)           37.2333   5.0000   1.688930   31.06
5)          -64.4572   0.1000   1.000000
6)           38.5810   2.8000   1.672700   32.11
7)          106.0516    可変    1.000000
8)           28.1138   1.0000   1.772500   49.61
9)           15.9812   3.0000   1.487490   70.45
10)          -73.1022    可変    1.000000
11) (絞りＳ)    ∞      0.7000   1.000000
12)           14.0547   2.5000   1.516800   64.12
13)          100.0000   0.8000   1.517420   52.32
14)           16.6009   1.5000   1.000000
15)           50.8775   5.0000   1.518230   58.89
16)          -41.2126   1.5000   1.000000
17)          -19.8605   1.0000   1.755000   52.29
18)           21.3857   6.0000   1.516800   64.12
19)          -15.6515   0.1000   1.000000
20)         -111.5170   5.5000   1.497820   82.56
21)          -11.4457   1.0000   1.834810   42.72
22)          -23.2681    可変    1.000000
23)         -100.0000   2.0000   1.516800   64.12
24)         -107.0000    ＢＦ    1.000000
像面             ∞
［非球面データ］
第１面
κ  ＝  -2.1107
A4  ＝   1.07754E-06
A6  ＝   3.75728E-09
A8  ＝   3.70102E-12
A10 ＝  -8.68356E-15
A12 ＝   0.00000
第２面
κ  ＝   0.1153
A4  ＝   2.12135E-05
A6  ＝   5.88073E-08
A8  ＝  -3.66898E-10
A10 ＝   2.96024E-12
A12 ＝  -0.17216E-14
［各種データ］
ズーム比     1.77
1-POS      2-POS      3-POS
Ｆ           16.48  〜  24.00  〜  29.10
ＦＮＯ        4.62  〜   5.37  〜   5.93
ω           52.71  〜  41.70  〜  36.31°
Ｙ           21.60  〜  21.60  〜  21.60
ＴＬ        124.56  〜 120.54  〜 122.10
Σｄ         87.69  〜  83.66  〜  85.23
ＢＦ         36.87  〜  36.87  〜  36.87
1-POS      2-POS      3-POS      4-POS      5-POS      6-POS
Ｆ＆β      16.48000   24.00000   29.10000   -0.03333   -0.03333   -0.03333
ｄ0           ∞         ∞         ∞      478.7844   697.7664   851.6626
ｄ7         22.83565    8.10808    2.11833   23.93137    8.85371    2.74799
ｄ10         5.85208    5.85208    5.85208    4.75637    5.10646    5.22242
ｄ22         1.00000   11.70369   19.25652    1.00000   11.70369   19.25652
ＢＦ        36.87278   36.87278   36.87278   36.87278   36.87278   36.87278
7-POS      8-POS      9-POS
β          -0.11194   -0.15821   -0.19497
ｄ0        125.4395   129.4634   127.9003
ｄ7         26.54236   11.63502    5.76938
ｄ10         2.14537    2.32515    2.20103
ｄ22         1.00000   11.70369   19.25652
ＢＦ        36.87278   36.87278   36.87278
［レンズ群データ］
群     始面           Ｆ
Ｇｎ      1         -23.11668
Ｇｆ      8          61.15566
Ｇｒ     12          55.05557
Ｇｓ     23       -3276.74607
［条件式対応値］
（１）  Ｆｗ／Ｆｂ ＝ 0.3681
（２）  Ｆｗ／（−Ｆｃ） ＝ 0.1518
（３）  Ｆｗ／Ｆａ ＝ 0.1335
（４）  Ｆｗ／Ｆｄ ＝ 0.04531
（５）  Ｆｗ／Ｆｆ ＝ 0.2695
【００４０】
図６（ａ）、図６（ｂ）、及び図６（ｃ）はそれぞれ、本願の第３実施例に係るズームレンズの広角端状態における無限遠物体合焦時の諸収差、中間焦点距離状態における無限遠物体合焦時の諸収差、及び望遠端状態における無限遠物体合焦時の諸収差を示す図である。
各諸収差図より、本実施例に係るズームレンズは、球面収差、像面湾曲、非点収差、及びコマ収差を含む諸収差が良好に補正されていることがわかる。
【００４１】
以上の各実施例によれば、一眼レフカメラ等の撮像装置に好適な、広角端状態で包括角２ω＝１０６．３°を越え、Ｆナンバー＝４．５〜５．６程度の口径を有し、レンズ枚数が少なく、前玉径が小さく即ちフィルター径が小さく、小型で、諸収差を良好に補正し、高い結像性能を有するレトロフォーカス型のズームレンズを実現することができる。
ここで、上記各実施例は本願発明の一具体例を示しているものであり、本願発明はこれらに限定されるものではない。以下の内容は、本願のズームレンズの光学性能を損なわない範囲で適宜採用することが可能である。
本願のズームレンズの数値実施例として２群、３群構成のものを示したが、本願はこれに限られず、その他の群構成（例えば、４群、５群等）のズームレンズを構成することもできる。具体的には、本願のズームレンズの最も物体側や最も像側にレンズ又はレンズ群を追加した構成でも構わない。なお、レンズ群とは空気間隔で分離された少なくとも１枚のレンズを有する部分をいう。
【００４２】
また、本願のズームレンズは、無限遠物体から近距離物体への合焦を行うために、レンズ群の一部、１つのレンズ群全体、或いは複数のレンズ群を合焦レンズ群として光軸方向へ移動させる構成としてもよい。また、合焦レンズ群は、オートフォーカスに適用することも可能であり、オートフォーカス用のモータ、例えば超音波モータ等による駆動にも適している。特に、本願のズームレンズでは前群又は後群の少なくとも一部を合焦レンズ群とすることが好ましい。
また、本願のズームレンズにおいて、いずれかのレンズ群全体又はその一部を、防振レンズ群として光軸に直交する方向の成分を含むように移動させ、又は光軸を含む面内方向へ回転移動（揺動）させることで、手ブレによって生じる像ブレを補正する構成とすることもできる。特に、本願のズームレンズでは後群の少なくとも一部を防振レンズ群とすることが好ましい。
【００４３】
また、本願のズームレンズを構成するレンズのレンズ面は、球面又は平面としてもよく、或いは非球面としてもよい。レンズ面が球面又は平面の場合、レンズ加工及び組立調整が容易になり、レンズ加工及び組立調整の誤差による光学性能の劣化を防ぐことができるため好ましい。また、像面がずれた場合でも描写性能の劣化が少ないため好ましい。レンズ面が非球面の場合、研削加工による非球面、ガラスを型で非球面形状に成型したガラスモールド非球面、又はガラス表面に設けた樹脂を非球面形状に形成した複合型非球面のいずれでもよい。また、レンズ面は回折面としてもよく、レンズを屈折率分布型レンズ（ＧＲＩＮレンズ）或いはプラスチックレンズとしてもよい。
また、本願のズームレンズにおいて開口絞りは、後群Ｇｐ内の合焦レンズ群Ｇｆと正レンズ群Ｇｒとの間に限られず、前群Ｇｎと合焦レンズ群Ｇｆとの間、又は正レンズ群Ｇｒ内の正メニスカスレンズ成分Ｌａと正レンズＬｂとの間に配置することもできる。また、開口絞りは合焦レンズ群Ｇｆと一体的に移動する構成としてもよい。また、開口絞りとして部材を設けずに、レンズ枠でその役割を代用する構成としてもよい。
【００４４】
また、本願のズームレンズを構成するレンズのレンズ面に、広い波長域で高い透過率を有する反射防止膜を施してもよい。これにより、フレアやゴーストを軽減し、高コントラストの高い光学性能を達成することができる。
また、本願のズームレンズは、ズーム比が２〜７程度である。
また、本願のズームレンズにおいて前群は、正レンズ成分を２つと、負レンズ成分を１つ有することが好ましく、特にこれらのレンズ成分を物体側から順に負、正、負の順番で空気間隔を介在させて配置することが好ましい。また、後群は、正レンズ成分を４つと、負レンズ成分を１つ有することが好ましく、特にこれらのレンズ成分を物体側から順に正、正、正、負、正の順番で空気間隔を介在させて配置することが好ましい。
【００４５】
次に、本願のズームレンズを備えたカメラを図７に基づいて説明する。
図７は、本願のズームレンズを備えたカメラの構成を示す図である。
本カメラ１は、撮影レンズ２として上記第１実施例に係るズームレンズを備えたデジタル一眼レフカメラである。
本カメラ１において、不図示の物体（被写体）からの光は、撮影レンズ２で集光されて、クイックリターンミラー３を介して焦点板４に結像される。そして焦点板４に結像されたこの光は、ペンタプリズム５中で複数回反射されて接眼レンズ６へ導かれる。これにより撮影者は、被写体像を接眼レンズ６を介して正立像として観察することができる。
【００４６】
また、撮影者によって不図示のレリーズボタンが押されると、クイックリターンミラー３が光路外へ退避し、不図示の被写体からの光は撮像素子７へ到達する。これにより被写体からの光は、当該撮像素子７によって撮像されて、被写体画像として不図示のメモリに記録される。このようにして、撮影者は本カメラ１による被写体の撮影を行うことができる。
ここで、本カメラ１に撮影レンズ２として搭載した上記第１実施例に係るズームレンズは、その特徴的なレンズ構成により、小型で、レンズ枚数が少なく、諸収差を良好に補正し、高い結像性能と大画角を有している。これにより本カメラ１は、小型で、諸収差を良好に補正し、高い結像性能を有しており、大画角を包括する広角撮影が可能となる。なお、上記第２、第３実施例に係るズームレンズを撮影レンズ２として搭載したカメラを構成しても、上記カメラ１と同様の効果を奏することができる。
【００４７】
最後に、本願のズームレンズの製造方法の概略を図８に基づいて説明する。
本願のズームレンズの製造方法は、物体側から順に、負の屈折力を有する前群と、正の屈折力を有する後群とを有するズームレンズの製造方法であって、以下のステップＳ１〜Ｓ３を含むものである。
ステップＳ１：後群が、物体側から順に、像側に凹面を向けた正メニスカスレンズ成分Ｌａと、正レンズＬｂと、負レンズと正レンズとの接合負レンズＬｃと、正レンズと負レンズとの接合正レンズＬｄとを有し、さらに、前記正メニスカスレンズ成分Ｌａよりも物体側に配置されており、正の屈折力を有し、無限遠物体から近距離物体への合焦のために物体側から像側へ移動する合焦レンズ群Ｇｆを有するようにする。
【００４８】
ステップＳ２：当該ズームレンズが以下の条件式（１）を満足するようにして、前群と後群を鏡筒内に物体側から順に配置する。
（１）  ０．００＜Ｆｗ／Ｆｂ＜１．００
ただし、
Ｆｗ：広角端状態における無限遠物体合焦時の前記ズームレンズ全系の焦点距離
Ｆｂ：前記後群内の前記正レンズＬｂの焦点距離
ステップＳ３：前群と後群との間の空気間隔を変化させることによって変倍を行うようにする。
斯かる本願のズームレンズの製造方法によれば、小型で、レンズ枚数が少なく、諸収差を良好に補正し、高い結像性能を有する大画角のズームレンズを製造することができる。
【符号の説明】
【００４９】
Ｇｎ      前群
Ｇｐ      後群
Ｇｆ      合焦レンズ群
Ｇｒ      正レンズ群
Ｌａ      正メニスカスレンズ成分
Ｌｂ      正レンズ
Ｌｃ      接合負レンズ
Ｌｄ      接合正レンズ
Ｓ        開口絞り
Ｉ        像面
【図１】
0005545064.tif 000002
【図２】
0005545064.tif 000003
【図３】
0005545064.tif 000004
【図４】
0005545064.tif 000005
【図５】
0005545064.tif 000006
【図６】
0005545064.tif 000007
【図７】
0005545064.tif 000008
【図８】
0005545064.tif 000009